(57)【特許請求の範囲】
【請求項１】
学習者が言語を学習するための言語学習システムであって、
前記言語学習システムを通じて学習者が受講するコースは１つ以上の音読レッスンを備え、さらに音読レッスンは、教材データと、練習方法を定義したモードデータとの組み合わせから構成され、
前記言語学習システムは、
外部からのデータが入力される入力部と、
外部にデータを出力する出力部と、
１つ以上の教材データと複数のモードデータを格納するデータ記憶部と、
前記入力部を介して選択される教材データと、前記入力部を介して選択されるモードデータとに基づいて、コースを設定するコース管理処理部と、
前記コース管理処理部で設定されたコースに従って音読レッスンを前記出力部を介して出力し、当該音読レッスンの受講結果が前記入力部を介して入力される音読受講処理部と、を有することを特徴とする、言語学習システム。
【請求項２】
言語学習システムを用いて、学習者が言語を学習するための言語学習方法であって、
前記言語学習方法において学習者が受講するコースは１つ以上の音読レッスンを備え、さらに音読レッスンは、教材データと、練習方法を定義したモードデータとの組み合わせから構成され、
前記言語学習システムは、
外部からのデータが入力される入力部と、
外部にデータを出力する出力部と、
１つ以上の教材データと複数のモードデータを格納するデータ記憶部と、
コース管理処理部と音読受講処理部と、を有し、
前記言語学習方法は、
前記入力部を介して選択される教材データと、前記入力部を介して選択されるモードデータとに基づいて、前記コース管理処理部を用いてコースを設定するコース管理処理工程と、
前記コース管理処理工程で設定されたコースに従って音読レッスンを前記音読受講処理部から前記出力部を介して出力し、当該音読レッスンの受講結果が前記入力部を介して前記音読受講処理部に入力される音読受講処理工程と、を有することを特徴とする、言語学習方法。
【請求項３】
請求項２に記載の言語学習方法を言語学習システムによって実行させるように、当該言語学習システムを制御するコンピュータ上で動作するプログラム。
【請求項４】
請求項３に記載のプログラムを格納した読み取り可能なコンピュータ記憶媒体。
【発明の詳細な説明】
【技術分野】
【０００１】
本発明は、学習者が言語を学習するための言語学習システム、前記言語学習システムを用いた言語学習方法、前記言語学習方法を実行させるためのプログラム、及び前記プログラムを格納したコンピュータ記憶媒体に関する。
【背景技術】
【０００２】
近年、インターネットなどのネットワークシステムの発達に伴い、オンラインで言語を学習する手段が種々開発されている。特に言語を習得するにあたり音読学習の重要性は増しており、このような音読学習に着目した手段も提案されている。
【０００３】
例えば特許文献１には、学習者の端末装置と通信可能に接続された発音練習支援システムによる発音練習支援方法が提案されている。この発音練習支援方法ででは、学習者が端末装置より入力した音声データを取得し、当該音声データに含まれる学習者の発音を評定する。そして、この評定結果に応じてコンテンツを編集し、編集したコンテンツを学習者の端末装置に提示する。
【０００４】
また、例えば特許文献２には、通常日本文、英語語順日本文、時制イメージ、英文を順次表示し、その後該表示と共に英文のネイティブ発音を発生させ、これを真似て発音することにより学習する、個人対応型英会話学習装置が提案されている。この英会話学習装置では、学習者の発音内容を音声認識して採点し、当該採点により次に表示するセンテンスのレベルを自動的に変動させると共に、複数のセンテンスからなる教材の消化率が１００％に達するまで学習課程が自動的に進行する。
【先行技術文献】
【特許文献】
【０００５】
【特許文献１】特開２００５−３１２０７号公報
【特許文献２】特開２００７−１８７９３９号公報
【発明の概要】
【発明が解決しようとする課題】
【０００６】
ところで、音読学習には、例えばテキストを見ながら音読する方法や、お手本の音声を聞きテキストを見ながら復唱する方法など、種々の練習方法があるが、これらは学習者の習熟度に応じて設定されるべきものである。そして、この練習方法は管理者が任意に設定できるようにするのが好ましく、さらに音読学習に用いられるテキストや見本音声についても、管理者が任意に設定できるようにするのが好ましい。
【０００７】
しかしながら、特許文献１、２に記載された学習方法では、システムや装置側で予め決められたコンテンツやセンテンスなどの教材を用い、単一の練習方法に従って、学習者は学習することになる。したがって、教材や練習方法を選択する自由度が低く、学習者が言語を効率よく学習するには改善の余地がある。
【０００８】
本発明は、かかる点に鑑みてなされたものであり、学習者が言語を効率よく学習するための言語学習システム及び言語学習方法を提供することを目的とする。
【課題を解決するための手段】
【０００９】
前記の目的を達成するため、本発明は、学習者が言語を学習するための言語学習システムであって、前記言語学習システムを通じて学習者が受講するコースは１つ以上の音読レッスンを備え、さらに音読レッスンは、教材データと、練習方法を定義したモードデータとの組み合わせから構成され、前記言語学習システムは、外部からのデータが入力される入力部と、外部にデータを出力する出力部と、１つ以上の教材データと複数のモードデータを格納するデータ記憶部と、前記入力部を介して選択される教材データと、前記入力部を介して選択されるモードデータとに基づいて、コースを設定するコース管理処理部と、前記コース管理処理部で設定されたコースに従って音読レッスンを前記出力部を介して出力し、当該音読レッスンの受講結果が前記入力部を介して入力される音読受講処理部と、を有することを特徴としている。
【００１０】
本発明の言語学習システムには、入力部を介して教材データが選択され、また入力部を介してモードデータが選択される。すなわち、例えば管理者は教材データとモードデータを任意に選択して入力することができる。そしてコース管理処理部では、これら入力された教材データとモードデータに基づいて、音読レッスンを設定し、コースを設定する。こうして、簡易的にコースを設定することができる。さらに音読受講処理部では、設定されたコースに従って音読レッスンを出力部を介して出力し、当該音読レッスンを学習者が受講した後、音読レッスンの受講結果が入力部を介して入力される。このように学習者は、管理者が任意に設定した音読レッスンを受講することができ、言語を効率よく学習することができる。
【００１１】
別な観点による本発明は、言語学習システムを用いて、学習者が言語を学習するための言語学習方法であって、前記言語学習方法において学習者が受講するコースは１つ以上の音読レッスンを備え、さらに音読レッスンは、教材データと、練習方法を定義したモードデータとの組み合わせから構成され、前記言語学習システムは、外部からのデータが入力される入力部と、外部にデータを出力する出力部と、１つ以上の教材データと複数のモードデータを格納するデータ記憶部と、コース管理処理部と音読受講処理部と、を有し、前記言語学習方法は、前記入力部を介して選択される教材データと、前記入力部を介して選択されるモードデータとに基づいて、前記コース管理処理部を用いてコースを設定するコース管理処理工程と、前記コース管理処理工程で設定されたコースに従って音読レッスンを前記音読受講処理部から前記出力部を介して出力し、当該音読レッスンの受講結果が前記入力部を介して前記音読受講処理部に入力される音読受講処理工程と、を有することを特徴としている。
【００１２】
また別な観点による本発明によれば、前記言語学習方法を言語学習システムによって実行させるように、当該言語学習システムを制御するコンピュータ上で動作するプログラムが提供される。
【００１３】
さらに別な観点による本発明によれば、前記プログラムを格納した読み取り可能なコンピュータ記憶媒体が提供される。
【発明の効果】
【００１４】
本発明によれば、学習者が言語を効率よく学習することができる。
【図面の簡単な説明】
【００１５】
【図１】本実施の形態にかかる言語学習システムを通じて、学習者が受講するコースの構成を示す説明図である。
【図２】本実施の形態にかかる言語学習システムの構成の概略を示す説明図である。
【図３】本実施の形態にかかる処理部と記憶部の構成の概略を示す説明図である。
【図４】学習端末に表示されるコース一覧の画面を示す説明図である。
【図５】学習端末に表示されるレッスン一覧の画面を示す説明図である。
【図６】学習端末に表示される音読レッスンの学習画面を示す説明図である。
【図７】複数の学習者の録音データを纏めて添削する場合に、添削端末に表示される添削申込一覧の画面を示す説明図である。
【図８】他の実施の形態にかかる処理部と記憶部の構成の概略を示す説明図である。
【発明を実施するための形態】
【００１６】
以下、本発明の実施の形態について図面を参照して説明する。なお、本明細書及び図面において、実質的に同一の機能構成を有する構成要素については、同一の符号を付することにより重複説明を省略する。
【００１７】
＜１．コースの構成＞
先ず、本実施の形態にかかる言語学習システムを通じて、学習者が受講するコースの構成について説明する。図１に示すようにコースは、１つ以上の音読レッスンと１つ以上の会話レッスンから構成される。図示の例においては、２つの音読レッスンと１つの会話レッスンの組み合わせを繰り返し行うようにコースが設定されているが、音読レッスンと会話レッスンの組み合わせは任意に設定できる。
【００１８】
音読レッスンは１つ以上のステップから構成され、さらに各ステップは、教材データとモードデータの組み合わせから構成される。教材データは、図３中のＴ１、Ｔ２で示されているものであり、テキストデータと見本音声データを含んでいる。またテキストデータは、学習する言語（例えば英語）を含んでいるが、さらにその日本語訳を含んでいてもよい。
【００１９】
モードデータは、学習者の練習方法を定義したデータであり、例えば下記（１）〜（６）を含んでいる。
（１）リスニングモード（Listening）：テキストデータを見ず、見本音声データを聞くモード。
（２）リーディングモード（Reading）：見本音声データを用いず、テキストデータを見ながら音読するモード。
（３）リピーティングモード（Repeating）：見本音声データを聞いた後、テキストデータを見ながら復唱するモード。
（４）オーバーラッピングモード（Overlapping）：テキストデータを見ながら見本音声データと同時に音読するモード。
（５）シャドーイングモード（Shadowing）：テキストデータを見ないで見本音声データと同時に音読するモード。
（６）リプロデューシングモード（Reproducing）：見本音声データを聞いた後、テキストデータを見ないで復唱するモード。
【００２０】
各音読レッスンの最後のステップでは、学習者が自分の音声を録音する。例えば最後のステップのモードがリプロデューシングモードの場合、そのモードを実行しつつ学習者は音声を録音する。なお、学習者の録音データは添削講師によって添削される。
【００２１】
会話レッスンでは、学習者が１つ以上の音読レッスンを行った後、学習者と会話講師が実際に会話を行う。なお、会話レッスンは会話講師によって評価される。
【００２２】
＜２．言語学習システムの構成＞
次に、本実施の形態にかかる言語学習システムの構成について説明する。図２は、言語学習システム１の構成の概略を示している。言語学習システム１では、管理者により設定されたコースに従って学習者が音読レッスンと会話レッスンを行い、さらに音読レッスンの受講結果（録音データ）を添削講師が添削し、会話レッスンの受講結果を会話講師が評価するようになっている。以下、言語学習システム１を用いた言語学習方法については後述することとし、先ず、言語学習システム１の構成について説明する。
【００２３】
言語学習システム１は、管理者の端末装置２（以下、管理端末２）、学習者の端末装置３（以下、学習端末３）、添削講師の端末装置４（以下、添削端末４）、会話講師の端末装置５（以下、会話端末５）にそれぞれ接続されている。各端末２〜５には、例えばデスクトップＰＣや携帯端末など種々の端末を用いることができる。
【００２４】
端末２〜５は、それぞれネットワークＮ１〜Ｎ４を介して、言語学習システム１に接続されている。ネットワークＮ１〜Ｎ４は、言語学習システム１と各端末２〜５の間の通信を行うことができるものであれば特に限定されるものではないが、例えばインターネットや有線ＬＡＮ、無線ＬＡＮなどにより構成される。
【００２５】
言語学習システム１は、入力部１０、出力部２０、処理部３０、及び記憶部４０を有している。
【００２６】
入力部１０と出力部２０は、ネットワークＮ１〜Ｎ４との間の通信を媒介する通信インタフェースであり、端末２〜５とデータ通信を行う。すなわち、入力部１０には端末２〜５からデータが入力され、出力部２０からは端末２〜５にデータが出力される。
【００２７】
処理部３０と記憶部４０は、図３に示すようにコース管理Ａ１０、クラス・アカウント管理Ａ２０、音読レッスンＡ３０、及び会話レッスンＡ４０を実行するための処理とデータの記憶を行う。
【００２８】
なお、図３中の実線矢印は、言語学習システム１と端末２〜５と間のデータのやり取りを示しており、具体的には主たる処理者から各処理部３０へのデータの入力を示している。実際には他の処理者とのデータのやり取りも行われるが、図示が煩雑になるため省略している。また、図３中の点線矢印は、言語学習システム１の内部において処理部３０と記憶部４０との間のデータのやり取りを示している。
【００２９】
コース管理Ａ１０を行うため、処理部３０はコース管理処理部３１０を有している。コース管理処理部３１０は、管理者によって入力されたデータに基づいてコースを設定する。また記憶部４０は、テキストデータを格納するテキストデータ記憶部４１０、見本音声データを格納する見本音声データ記憶部４１１、及びモードデータを格納するモードデータ記憶部４１２を有している。
【００３０】
クラス・アカウント管理Ａ２０を行うため、処理部３０は、クラス管理処理部３２０とアカウント管理処理部３２１を有している。クラス管理処理部３２０は、複数の学習者から構成されるクラスの管理を行う。アカウント管理処理部３２１は、学習者が言語学習システム１にログインするためのアカウントの管理を行う。また記憶部４０は、クラスデータを格納するクラスデータ記憶部４２０とアカウントデータを格納するアカウントデータ記憶部４２１を有している。
【００３１】
音読レッスンＡ３０を行うため、処理部３０は、音読受講処理部３３０と音読添削処理部３３１を有している。音読受講処理部３３０は、学習者が音読レッスンを行うための処理を行う。音読添削処理部３３１は、添削講師が音読レッスンの添削を行うための処理を行う。また記憶部４０は、学習者による受講結果（受講データ）を格納する音読受講データ記憶部４３０、及び添削講師による添削結果（添削データ）を格納する音読添削データ記憶部４３１を有している。なお、受講データには、例えば学習の進捗状況や学習者の録音データなどが含まれる。
【００３２】
会話レッスンＡ４０を行うため、処理部３０は、会話受講処理部３４０と会話評価処理部３４１を有している。会話受講処理部３４０は、学習者と会話講師が会話レッスンを行うための設定処理を行う。会話評価処理部３４１は、会話講師が会話レッスンの評価を行うための処理を行う。また記憶部４０は、会話レッスンを設定するためのデータ（会話設定データ）を格納する会話設定データ記憶部４４０、及び会話講師による会話評価（会話評価データ）を格納する会話評価データ記憶部４４１を有している。なお、会話設定データには、例えば会話レッスンの日時や会話講師などの予約データが含まれる。
【００３３】
なお、図２に示す言語学習システム１の構成要素は、回路（ハードウェア）、またはＣＰＵなどの中央演算処理装置と、これらを機能させるためのプログラム（ソフトウェア）から構成することができる。そして、このプログラムは各部１０、２０、３０、４０を制御して、後述する言語学習方法を実行する。この場合において、上記プログラムは、例えばコンピュータ読み取り可能なハードディスク（ＨＤ）、フレキシブルディスク（ＦＤ）、コンパクトディスク（ＣＤ）、マグネットオプティカルデスク（ＭＯ）、各種メモリなどのコンピュータに読み取り可能な記憶媒体に格納されることができる。また、上記プログラムは、インターネットなどの通信回線網を介してダウンロードすることにより、上記記憶媒体などに格納することができる。
【００３４】
＜３．言語学習方法＞
次に、以上のように構成された言語学習システム１を用いて行われる言語学習方法について説明する。本実施の形態の言語学習方法では、上述したコース管理Ａ１０、クラス・アカウント管理Ａ２０、音読レッスンＡ３０、会話レッスンＡ４０がこの順で行われる。以下、これらＡ１０、Ａ２０、Ａ３０、Ａ４０を図３に基づいて順に説明する。なお、本実施の形態においては英語の学習を例に説明するが、本発明は英語以外の他の言語の学習にも適用できる。
【００３５】
先ず、コース管理Ａ１０が行われる。コース管理Ａ１０では、管理者によって、学習者が受講するコースの設定が行われる。管理者は、１つ以上の音読レッスンと１つ以上の会話レッスンの構成、すなわち音読レッスンと会話レッスンの数と順番を設定し、さらに各音読レッスンのステップを設定し、例えば図１に示したコースを設定する。
【００３６】
具体的には管理者は、管理端末２を介して、音読レッスンと会話レッスンの構成を入力し、さらにステップを設定するため、テキストデータ、見本音声データ、及びモードデータを入力する。テキストデータと見本音声データには、例えば管理者が自分で用意したデータを用いてもよいし、或いはテキストデータ記憶部４１０と見本音声データ記憶部４１１に予め格納されているデータを用いてもよい。またモードデータには、例えばモードデータ記憶部４１２に予め格納されたデータを用いてもよい。
【００３７】
入力方法は任意であるが、例えば音読レッスンと会話レッスンの構成、テキストデータ、見本音声データ、及びモードデータを表形式で入力してもよい。そしてこれらのデータは、入力部１０を介してコース管理処理部３１０に入力され、コース管理処理部３１０においてコースが設定される。
【００３８】
次に、クラス・アカウント管理Ａ２０が行われる。クラス・アカウント管理Ａ２０では、管理者によってクラスの管理が行われる。管理者は、管理端末２を介して、例えばクラス名、クラスのＩＤ、クラスに招待する学習者のメールアドレス、招待する学習者のコースなどを入力する。入力されたデータは、入力部１０を介してクラス管理処理部３２０に入力され、クラス管理処理部３２０においてクラスが管理される。クラス管理処理部３２０のクラスデータは、クラスデータ記憶部４２０に格納される。また、クラス管理処理部３２０から出力部２０を介して学習端末３に招待メールが送信される。
【００３９】
クラス・アカウント管理Ａ２０では、学習者のアカウントの管理も行われる。学習端末３に招待メールが届くと、学習者は、学習端末３を介して、例えば氏名やパスワードを入力し、アカウントを登録する。入力されたアカウントデータは、入力部１０を介してアカウント管理処理部３２１に入力され、アカウント管理処理部３２１において学習者のアカウントが管理される。アカウント管理処理部３２１のアカウントデータは、アカウントデータ記憶部４２１に格納される。また、管理者は、このアカウントデータを確認し、招待した学習者が登録したかどうかを確認する。
【００４０】
ここまでのコース管理Ａ１０とクラス・アカウント管理Ａ２０は、言語学習システム１で言語学習を行うための事前準備であって、ここから学習者による言語学習が開始される。すなわち、コース管理Ａ１０で設定されたコースに従って、音読レッスンＡ３０と会話レッスンＡ４０が行われる。
【００４１】
学習者が言語学習システム１にログインすると、コース管理Ａ１０で設定されたコースが、出力部２０を介して学習端末３に出力される。図４は、学習端末３に表示されるコース一覧の画面を示している。コース一覧の画面には、例えばコース名、学習率、合格率、及び学習時間が表示される。学習率は、例えば音読レッスンと会話レッスンの合計数に対する、学習者が受講したレッスンの数の割合を示している。合格率は、例えば録音データの添削指定がある音読レッスンの合計数に対する、合格数（録音データの合格数）の割合を示している。学習時間は、コースにおける学習者の総学習時間を示している。なお、コース一覧の画面に表示する項目は、図示の例に限定されず任意に設定できる。
【００４２】
コース一覧の画面において学習者が受講するコースを選択すると、学習端末３には、図５に示すようにレッスン一覧の画面が表示される。レッスン一覧の画面には、例えばレッスン、ステータス、学習回数、及びスケジュールが表示される。レッスンにおいて、音読レッスンに「添削有」と記載されているのは、添削講師による録音データの添削が行われることを示している。ステータスは、音読レッスンにおいては録音データの提出済・未提出を示し、会話レッスンにおいては学習済・未学習を示している。なお、レッスン一覧の画面に表示する項目は、図示の例に限定されず任意に設定できる。
【００４３】
音読レッスンＡ３０は、図５に示したレッスン一覧の画面において、学習者が音読レッスンを選択して行われる。音読レッスンを選択すると学習端末３には、図６に示すように音読レッスンの学習画面が表示される。学習画面の左欄には、例えばレッスン、ステップ、及びコメントが表示される。学習画面の右欄には、テキストデータなどの学習者が実際に学習する内容が表示される。なお、音読レッスンの学習画面に表示する項目は、図示の例に限定されず任意に設定できる。
【００４４】
図６に示した音読レッスンでは、学習者はステップ１〜ステップ６を行い、最後のステップ６のリプロデューシングモードにおいて、自分の音声を録音し提出する。録音データは、学習端末３から入力部１０を介して音読受講処理部３３０に入力され、また例えば学習時間などの学習の進捗状況も音読受講処理部３３０に入力される。これらの音読受講処理部３３０の受講データは、音読受講データ記憶部４３０に格納される。
【００４５】
学習者による言語学習が進められると、所定のタイミングで添削講師による添削が行われる。添削講師が言語学習システム１にログインしてアクセスすると、音読受講データ記憶部４３０に格納された受講データが、音読添削処理部３３１から出力部２０を介して添削端末４に出力される。そして添削講師は、受講データから学習者の学習進捗状況を確認し、録音データの添削を行う。
【００４６】
添削講師による添削は、学習者毎の録音データを個別に添削してもよいし、複数の学習者の録音データを纏めて添削してもよい。
【００４７】
図７は、複数の学習者の録音データを纏めて添削する場合に添削端末４に表示される添削申込一覧の画面を示している。添削申込一覧の画面には、例えば判定、提出音声、提出日時、総学習、録音再生（時間）、コメント設定変更、レッスン名、及び学習者の氏名が表示される。判定は、録音データの合否を判定するものであり、添削講師は合格（Pass）又は不合格（Again）を選択する。提出音声は、録音データの再生を行うための項目である。提出時間は、録音データが提出された時間を示している。総学習は、対象の音読レッスンにおける学習者の総学習時間を示している。録音再生は、録音データの再生時間を示している。コメント設定変更は、添削講師によるコメントを設定する項目であり、添削講師は予め登録されたコメントを選択することもできるし、直接コメントを入力することもできる。なお、添削申込一覧の画面では、例えば提出日時、総学習、録音再生などの項目でフィルタリングをかけることができる。
【００４８】
添削講師は、録音データを聞き、その添削を行う。添削に際しては、例えば学習時間などを参照することもでき、例えば一応録音データを提出しただけのような、学習時間の短い学習者に対しては、不合格とすることもできる。この際、上述したフィルタリング機能を利用し、総学習の時間が短い学習者のみを表示させ、表示された学習者を一括して不合格にすることもできる。このようにクラス全体の学習を効率化することができる。
【００４９】
なお、学習者毎の録音データを個別に添削する場合でも、図７に示した画面と同様の画面が用いられる。
【００５０】
そして、添削講師による添削結果（添削データ）は、添削端末４から入力部１０を介して音読添削処理部３３１に入力される。この音読添削処理部３３１の添削データは、音読添削データ記憶部４３１に格納される。また、学習者は、この添削データを適宜確認することができる。
【００５１】
一方、会話レッスンＡ４０は、図５に示したレッスン一覧の画面において、学習者が話レッスンを選択して行われる。会話レッスンは、学習者と会話講師が実際に会話を行うレッスンであり、例えばインターネットを介して行ってもよいし、直接面会して行ってもよい。そして学習者は、図５に示したレッスン一覧の画面の「予約する」から、会話レッスンの希望日時や希望場所などを入力する。これらの会話レッスンを設定するためのデータ（会話設定データ）は、学習端末３から入力部１０を介して会話受講処理部３４０に入力される。会話受講処理部３４０では、学習者と会話講師のマッチングを行い、会話レッスンの設定（予約）を行う。そして、学習者と会話講師の会話レッスンが行われる。なお、会話受講処理部３４０の会話設定データは、会話設定データ記憶部４４０に格納される。
【００５２】
会話レッスンが終了すると、会話講師は、その会話レッスンの評価を行う。会話講師の評価結果（会話評価データ）には、会話講師のコメントや会話レッスンの学習時間などが含まれ、会話評価データは会話端末５から入力部１０を介して会話評価処理部３４１に入力される。この会話評価処理部３４１の会話評価データは、会話評価データ記憶部４４１に格納される。また、学習者は、この会話評価データを適宜確認することができる。
【００５３】
以上の音読レッスンＡ３０と会話レッスンＡ４０が受講コースに従って行われ、学習者の言語学習が終了する。
【００５４】
以上の実施の形態によれば、コース管理Ａ１０において管理者は、テキストデータ、見本音声データ、及びモードデータを任意に組み合わせて音読レッスンを設定することができ、さらに音読レッスンと会話レッスンを任意に組み合わせてコースを簡易的に設定することができる。そして、このようなコースの設定は、学習者の習熟度に応じて任意に設定できる。したがって、学習者は効率よく言語を学習することができる。
【００５５】
しかも、モードデータは複数の練習方法を含んでいるため、学習者はより効率よく学習することができる。このように練習方法を体系立てて設定することは従来になく、斬新なものである。
【００５６】
また、コースには音読レッスンと会話レッスンが両方含まれているので、学習者はさらに効率よく学習することができる。このように１つの言語学習システム１において、音読レッスンと会話レッスンを両方行うことは従来になく、これにより学習効率が向上する。
【００５７】
また、音読レッスンの録音データは添削講師によって添削され、会話レッスンは会話講師によって評価されるので、学習者は自分の習熟度を適切に把握することができる。これらの音読レッスンの録音データは音読添削データ記憶部４３１に格納されるので、例えば学習初期と終期の録音データを比較することで、学習者の習熟度を把握することも可能となる。
【００５８】
また、添削講師は学習者の録音データを添削し、学習の進捗状況を確認するだけでよいので、添削講師の負担を軽減することもできる。特に複数の学習者の録音データを纏めて添削する場合、その負担はさらに軽減される。近年、例えば学校などの教育機関や企業で英語学習の必要性が高まっており、先生や講師の負担の増加が懸念されている。また従来は、音読レッスンを行うにはその先生や講師が英語を話せることが必須である風潮があり、音読ができない先生や講師には負担であった。本実施の形態は、これらの問題を解決するのに極めて有効なのである。
【００５９】
＜４．他の実施の形態＞
次に、本発明の他の実施の形態について説明する。以下の説明において、上記実施の形態と重複する箇所は説明を省略する。
【００６０】
＜４−１．他の実施の形態＞
以上の実施の形態の言語学習システム１において、図８に示すように処理部３０はモード解析部３５０をさらに有していてもよい。モード解析部３５０では、例えば音読受講データ記憶部４３０に格納された音読レッスンの学習時間に基づいて、モードデータ記憶部４１２に格納されたモードデータの評価、解析を行う。すなわち、モード解析部３５０では、学習者が言語を学習するにあたり、効くモードがどれであるかを判定することができる。例えば英語力測定テストのリスニングスコアを向上させるのに、例えばリーディングモードであれば１００時間かかるが、シャドーイングモードであれば１０時間ですむ、などを判定することができる。
【００６１】
かかる場合、管理者は、モード解析部３５０の解析結果に基づいて、コース管理Ａ１０でコースを設定することができる。このため、学習者はさらに効率よく言語を学習することができる。
【００６２】
なお、モード解析部３５０で音読レッスンのモードを解析するにあたっては、例えば会話評価データ記憶部４４１に格納された会話レッスンの学習時間などを用いてもよい。
【００６３】
＜４−２．他の実施の形態＞
以上の実施の形態の言語学習システム１では、モードデータ記憶部４１２において６つのモードデータが格納されていたが、モードデータはこれに限定されない。例えばモードデータ記憶部４１２は、ロールプレイモード（Role Play）を格納していてもよい。このロールプレイモードは、学習者の役割を定義した複数の役割データを含み、学習者は与えられた役割を演じつつ、設定されたテキストデータと見本音声データに基づいて音読レッスンを行うものである。
【００６４】
管理者はコース管理Ａ１０を行うに際し、管理端末２を介して、学習者の役割を入力する。入力された役割データは、入力部１０を介してコース管理処理部３１０に入力され、コース管理処理部３１０においてロールプレイモードが設定される。かかる場合、学習者は役割を選択し、当該役割を演じることで音読レッスンへの集中度が増し、さらに効率よく言語を学習することができる。また、例えば店舗でのオペレーションやコールセンター業務、営業、演技など、学習者は様々なシチュエーションをトレーニングすることができる。
【００６５】
さらに、モードデータとしては、ロールプレイモードの派生形として、クエスチョンアンドアンサーモード（Question & Answer）、クイックレスポンスモード（Quick
Response）などがある。クエスチョンアンドアンサーモードは、一問一答形式の会話練習である。クイックレスポンスモードは、日本語を素早く英語に訳して話す練習である。
【００６６】
＜４−３．他の実施の形態＞
以上の実施の形態の言語学習システム１では、音読レッスンと会話レッスンの両方を行っていたが、いずれか一方のレッスンのみを行うようにしてもよい。
【００６７】
また、以上の実施の形態では、教材データとしてテキストデータと見本音声データの両方を用いていたが、いずれか一方のみを用いてもよい。
【００６８】
また、以上の実施の形態では、管理者、添削講師、及び会話講師は別の人物であったが、例えば添削講師が管理者を兼ねていてもよいし、また添削講師が会話講師を兼ねていてもよい。また、例えば会話講師が管理者を兼ねていてもよいし、また会話講師が添削講師を兼ねていてもよい。これら３者の役割は任意に設定できる。
【００６９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００７０】
本発明は、学習者が言語を学習する際に有用であり、特に学習者が音読学習を行う際に有用である。
【符号の説明】
【００７１】
１      言語学習システム
２      管理端末
３      学習端末
４      添削端末
５      会話端末
１０    入力部
２０    出力部
３０    処理部
４０    記憶部
３１０  コース管理処理部
３２０  クラス管理処理部
３２１  アカウント管理処理部
３３０  音読受講処理部
３３１  音読添削処理部
３４０  会話受講処理部
３４１  会話評価処理部
３５０  モード解析部
４１０  テキストデータ記憶部
４１１  見本音声データ記憶部
４１２  モードデータ記憶部
４２０  クラスデータ記憶部
４２１  アカウントデータ記憶部
４３０  音読受講データ記憶部
４３１  音読添削データ記憶部
４４０  会話設定データ記憶部
４４１  会話評価データ記憶部
Ａ１０  コース管理
Ａ２０  クラス・アカウント管理
Ａ３０  音読レッスン
Ａ４０  会話レッスン
Ｎ１〜Ｎ４  ネットワーク
【要約】
【課題】学習者が言語を効率よく学習するための言語学習システム及び言語学習方法を提供する。
【解決手段】言語学習システム１を通じて学習者が受講するコースは、１つ以上の音読レッスンと１つ以上の会話レッスンを備える。さらに音読レッスンは、テキストデータ及び音声見本データを含む教材データと、練習方法を定義したモードデータとの組み合わせから構成される。言語学習システム１は、コースを設定するコース管理処理部３１０と、音読レッスンを行うための音読受講処理部３３０と、音読レッスンの添削を行うための音読添削処理部３３１と、会話レッスンを行うための会話受講処理部３４０と、会話レッスンの評価を行うための会話評価処理部３４１と、を有する。
【選択図】図３【図１】
0006006449.tif 000002
【図２】
0006006449.tif 000003
【図３】
0006006449.tif 000004
【図４】
0006006449.tif 000005
【図５】
0006006449.tif 000006
【図６】
0006006449.tif 000007
【図７】
0006006449.tif 000008
【図８】
0006006449.tif 000009